Podtech/llm-jp-corpus-v4-ja_patent huggingface dataset:
(57)【要約】      （修正有）【課題】次に使用する人が取出し易いトイレットペーパー取出し形状を提供する。【解決手段】トイレットペーパー３に斜めのミシン目を入れ、トイレットペーパー切断金具の形状をミシン目と同じ角度の三角形にすることにより、取出し易くむだのないものとなる。【選択図】図１
2005296588.tif 000002
【特許請求の範囲】
【請求項１】
トイレットペーパーの取出口を設けることにより容易に取り出せるペーパー取出口
【請求項２】
前記取り出し口は、ペーパーに斜めのミシン目を入れて取り出し口を作ることを特徴とする。
【請求項３】
ペーパーに斜めにミシン目を入れると共に金具も同じ角度に切りとる。
【発明の詳細な説明】
【技術の分野】
【０００１】この発明は、トイレットペーパーのミシン目の形状に関する。
［背景技術］
【０００２】今までのトイレットペーパーの形状は図２で示すように、横にミシン目が入ったものである。
［発明の開示］
【０００３】［発明が解決しょうとする課題］
今までの技術であれば取り出し口がないので、ペーパーをクルクル回転させて、時には手間がかかり、時には長く出すぎて床まで届いおてしまう。後の人の為に気をきかせたつもりで三角折をして出て来る人もあるが，他人がおしりをふいた手で三角折をしてほしくない。
［課題を解決するための手段］
【０００４】以上の課題を解決するために第一発明は、トイレットペーパーにミシン目を斜めにすることを特徴とする。
又第二発明は、金具もミシン目と同じ角度とすることによる。
［発明の効果］
【０００５】第一発明、第二発明によりペーパーが取り出しやすく、むだないらつき、むだな紙使用がなくなる。
［発明を実施するための最良の形態］
【０００６】この発明の一実施形態を図１に示す。トイレットペーパー本体に１に斜めのミシン目、金具部分２とは同じ角度のものである。
［実施形態の効果］
【０００７】この実施形態でやれば公衆トイレ等でカラカラとペーパーを取り出す為の回転無駄、女子トイレの混みが少しは解消される。
［他の実施形態］
【０００８】図１の実施形態の他、取り出し口の形を花柄とか、おもしろいものにすると楽しい。
【図面の簡単な説明】
【０００９】［図１］この発明の一実施形態を示す斜視図である。
［図２］従来技術を示す斜視図である。
【符号の説明】
【００１０】１取付金具本体  ２金具の形状  ３ミシン目
【図１】
2005296588.tif 000003
【図２】
2005296588.tif 000004
(57)【要約】【課題】  生体内にインプラントを留置して交流磁界を印加することで腫瘍を加熱・壊死させる治療装置において、治療対象となる生体の電位の安定および生体の帯電防止を可能にする手段および装置を提供する。【解決手段】  装置全体は、高周波電源、整合器、コイル、接地器具よりなる。インプラントを生体内の治療対象部位に留置後、接地器具を装着して生体は電気的に接地される。この後、交流磁界によりインプラントが発熱し、治療部位を加熱する。この際、生体が電気的に接地されることで、生体の電位を安定させ、帯電を妨げることを可能にした。【選択図】図２
2005296583.tif 000002
【特許請求の範囲】
【請求項１】
コイルによって誘起される交流磁界によりインプラントを発熱させ生体内を局所加温する装置において、生体を電気的に接地させる接地器具を有する生体加温装置。
【請求項２】
前記接地器具が下半身に装着されるものであることを特徴とする、請求項１に記載の生体加温装置。
【請求項３】
設定された閾値に対し、この値を超える電流が接地器具を経由して検出された場合に交流磁界強度を低下もしくはゼロにする手段を有する生体加温装置。
【発明の詳細な説明】
【技術分野】
【０００１】  この発明は癌などの温熱療法のために生体へ高周波磁界を印加する際、生体の電位を安定させ、帯電を妨げる手段および装置を提供するものである。
【背景技術】
【０００２】  最近、生体内にインプラントを留置し、交流磁界を印加することで、腫瘍を加熱・壊死させる治療法が試みられている。例えば、Ｎａｇｏｙａ  Ｊｏｕｒｎａｌ  ｏｆ  Ｍｅｄｉｃａｌ  Ｓｃｉｅｎｃｅ  ５９（１９９６）４９−５４では舌癌に対し、人体頭部を円形空芯コイルで囲み、交流磁界を印加している。この場合には生体の電位の安定や帯電を妨げる工夫はなされていない。
【非特許文献１】Ｎａｇｏｙａ  Ｊｏｕｒｎａｌ  ｏｆ  Ｍｅｄｉｃａｌ  Ｓｃｉｅｎｃｅ  ５９（１９９６）４９−５４
【発明の開示】
【発明が解決しようとする課題】
【０００３】  上述のように、生体内にインプラントを留置し、交流磁界を印加することで、腫瘍を加熱・壊死させる治療法では、これまで、生体の電位の安定や帯電を妨げる工夫は積極的になされていないが、実際の動物実験では、実験終了後に帯電による小放電がしばしばみられる。したがって、帯電の防止は患者の安全性や不快感の除去のため重要である。また、交流磁界印加用コイルの極板間は数ｋＶ程度となるため、生体の安全のため、電位の安定は必要である。【０００４】  本発明はこのような従来の治療装置が有していた問題を解決しようとするものであり、接地器具を生体に装着することにより、生体の電位を安定させ、帯電を妨げることを目的としている。
【課題を解決しようとする手段】
【０００５】  本発明は上記目的を達するため、生体の一部に導電性の器具を密着させ、接地させることで、電位の安定と帯電防止を実現する。
【作用】
【０００６】    生体はイオン水溶液の集合体と考えることができ、導電体である。したがって、生体の一部に導電性の器具を密着させて接地することで、生体の電位の安定と帯電防止を行うことが可能である。
【発明の効果】
【０００７】    生体の一部に導電性の器具を密着させ、電位の安定と帯電防止が可能となる。
【発明を実施するための最良の形態】
【０００８】  装置全体は高周波電源、整合器、コイル、接地器具よりなる。図１では接地器具を円で表しているが形状を限定するものではない。また、通常は外部への電磁波の漏れを最小にするため、遮蔽を施す。まず、交流磁界の印加により発熱するインプラントを生体内の対象位置に留置する。この場合、インプラントとしては金属粉末や金属酸化物の粉末を分散させた流体またはこの流体を固形化したものがしばしば用いられ、導体固形物が用いられることもある。次に治療対象部位へ強磁界を印加するためコイルの位置を調整する。例えば、治療対象部位を空芯コイルに通す方法や平面コイルを近付ける方法が挙げられる。さらに、生体の一部に導電性の器具を密着させ、接地し、交流磁界を印加して対象部位を局所的に加熱する。【０００９】  接地器具は通常、コイルの接地側電極、整合器の接地側電極、高周波電源の接地側電極などに接続され、接地される。【００１０】  接地器具と生体の接続にあたっては密着させることが好ましく、接続部には電気抵抗を下げる目的から導電率の高い水溶液やゼリー状の物質を塗布することが好ましい。【００１１】  印加される交流磁界の周波数は通常１００ｋＨｚから２０００ｋＨｚであり、好ましくは３００ｋＨｚから７５０ｋＨｚである。【００１２】  コイルやその電極等と接地器具の短絡による放電や感電を防止するため、生体における接地器具の取りつけ位置はコイルから十分遠い位置が望ましい。電流が心臓を通過することを避けるため、心臓より下部の臓器の治療にあたっては脚部や足部への取りつけが好ましい。また、心臓より上部の治療にあたっては手や腕部への取り付けが好ましい。【００１３】  患者の違和感を押さえるため、靴のような形状をした器具を使用することも可能である。【００１４】  接地器具を経由して必要以上の電流が流れることを避けるため、電流量を観測する場合もある。この場合は閾値を設け、その値を上回る電流が観測されたときには高周波電源の出力を下げるシステムを組むことが望ましい。図２にその一例を示す。
【実施例１】
【００１５】  交流磁界の印加により、帯電が観測されたが、ラットの尾部に導体を密着してその導体を接地後、同様の実験を行ったところ、帯電は見られなくなった。【００１６】  このことから、接地器具の効果が確認された。
【産業上の利用可能性】
【００１７】  交流磁界利用した癌などの温熱療法の際に、治療対象となる生体の帯電防止と電位の安定が可能となる。このため癌治療などの医療機器に適用できる。
【図面の簡単な説明】
【００１８】
【図１】本発明の加熱装置の一例の構成図である。
【図２】本発明の一実施例を示す外観図である。
【符号の説明】
【００１９】１．  接地器具
２．  空芯コイル
３．  インプラントの留置された部分
４．  生体
５．  電流検出装置
６．  整合器
７．  高周波電源
８．  制御信号
【図１】
2005296583.tif 000003
【図２】
2005296583.tif 000004
(57)【要約】【課題】体に当る部分に細かい粒状の物体を詰めた肩たたき用具を提供する。【解決手段】体に当る部分に砂など粒状の物体を詰め、人間の握り拳に近い感覚で叩ける肩たたき用具。【選択図】図１
2005296587.tif 000002
【特許請求の範囲】
【請求項１】
粒状の物体を持ち手の本体に設けた肩たたき用具。
【発明の詳細な説明】
【技術分野】
【０００１】本発明は、体に当る部分を柔らかくして人間の握り拳で叩いたような感触に近い肩たたき用具に関するものである。
【背景技術】
【０００２】従来から有る肩たたきは体に当る部分が硬く、ボール状の柔らかい物も有ったがそれでもやはり体に当った瞬間硬さを感じた。
【発明の開示】
【発明が解決しようとする課題】
【０００３】そのため次のような問題点があった。
（イ）玉状の体に当る部分が硬いため、肩や腰の骨などに当った場合痛い思いをする事があった。
本発明は、以上の問題点を解決するためになされたものである。
【課題を解決するための手段】
【０００４】体に当る部分に、砂のような細かい粒状の物体を詰め、全体を柔らかい感触にした肩たたき用具である。
【発明の効果】
【０００５】体に当った場合、肩や腰の骨部分に当っても全く痛みを感じず、人間の握りこぶしに近い感触になる。
【発明を実施するための最良の形態】
【０００６】以下、本発明の実施の形態を説明する。
（イ）頭部（２）部分に砂など粒状の物体（６）を詰めて、本体（１）に被せ金属の板状の止め具（５）を巻き、ネジ釘で固定したものである。
（ロ）取り付けた本体（１）の空けた穴に、持ち手（３）を差込み固定する。
（ハ）持ち手（３）に開けてある穴に、孫の手（５）を収納しキャップ（４）をかぶせる。
翻案は以上のような構造でこれを使用する時は、持ち手（３）の部分をにぎり頭部（２）で肩などをトントンと叩くようにする。
【実施例】
【０００７】持ち手（３）の部分をにぎり、頭部（２）で肩などをトントンと叩くようにする。孫の手（７）を使用するときは、持ち手のキャップ（４）を外して内側に納めてある孫の手を取り出して使用する。
【図面の簡単な説明】
【０００８】
【図１】本発明の正面図
【図２】本発明の斜視図
【図３】本発明の断面図
【符号の説明】
【０００９】１  本体
２  頭部（叩く時体に当る部分）
３  持ち手
４  持ち手のキャップ
５  頭部を本体に被せて止める金具
６  粒状の物体
７  孫の手
【図１】
2005296587.tif 000003
【図２】
2005296587.tif 000004
【図３】
2005296587.tif 000005
(57)【要約】      （修正有）【課題】寝たきりの人、腕に支障のある人、四十肩の人、健康な人にもよく、読書等にも使る枕を提供する。【解決手段】頭部枕１に頭を乗せると腕枕２・３に左右両腕が乗ります。敷布団と腕の間に腕枕２・３が入り、腕が枕の厚みの分持ち上がり、重い腕を支えてくれます。腕が持ち上がると下がっている時と寝姿勢が変わり、寝心地がよくなります。【選択図】図２
2005296589.tif 000002
【特許請求の範囲】
枕に頭を乗せた時、腕も枕に乗っている一体型の枕である。全身用と半身用がある。
【発明の詳細な説明】
【発明の詳細な説明】
（イ）両腕の重みを支えます。（ロ）横臥位になった時、肩幅と同じ高さになる様に補助枕５を頭枕１の上に乗せて使う。（ハ）全身用（第１図）は腕枕２・３の間に身体が入ります。腕枕２・３に足を乗せたり、腕枕２・３と足方枕６で重い布団を支えたり、保温にもなります。（ニ）全身用（第１図）と半身用（第２図）共に接続布４と補助枕５が無い物もある。第２図（ホ）腕枕２と腕枕３との間に身体が入ります。
【図面の簡単な説明】
【図１】第１図は全身用
【図２】第２図は半身用・補助枕無し
【図３】第３図は横から見た図１は頭  ２は腕枕  ３は腕枕４は接続布  ５は補助枕  ６は足方枕
【図１】
2005296589.tif 000003
【図２】
2005296589.tif 000004
【図３】
2005296589.tif 000005
(57)【要約】【課題】  特にアマチュアゴルファーなどは、一定の技術が身についてなく、毎日感覚が違うものである。そこでその日の体調に合わせ、ゴルフパターヘッドに付いているスライド式バランスを、好みの場所に自由にスライド移動させ使用することで、本来の感覚でパターのストロークが出来る。【解決手段】  ゴルフパターヘッド（１）の一部に凸レール（３）を設け、その一部に何ヶ所かの雌ネジ（４）を設け、そのレールの上にバランス凹（２）を設け、これの一部に雄ネジ（４）を設けたもの。【選択図】  図１
2005296582.tif 000002
【特許請求の範囲】
【請求項１】
ゴルフパターヘッド（１）の一部に凸レール（３）を設け、これの一部に何ヶ所か雌ネジ（５）を設け、そのレールの上にバランス凹（２）を設け、これの一部に雄ネジ（４）を設けたスライド式バランス器具付ゴルフパターヘッド。
【発明の詳細な説明】
【発明の詳細な説明】
【技術分野】
【０００１】この発明は、コルフパターヘツドの一部にスライド式バランス器具を設けたゴルフパターヘッドに関するものである。
【背景技術】
【０００２】従来ゴルフパターヘッドの至る所にバランスは固定して埋めこんであった。
【発明が解決しようとする課題】
【０００３】これはつぎのような欠点があった。
（イ）誰もが本来パターの持つ特性に合わせて利用しなくてはならず、自分自信の感性・癖などを生かすことが出来なかった。
本発明は、これらの欠点を除くためになされたものである。
【課題を解決するための手段】
【０００４】ゴルフパターヘッド（１）の一部に凸レール（３）を設け、その一部に何ヶ所か雌ネジを設け、そのレールの上にバランス凹（２）を設け、これの一部に雄ネジ（４）を設ける。
【発明を実施するための最良の形態】
【０００５】雄ネジ（４）を緩め、バランス凹（２）を好みの位置にスライドさせて、雄ネジ（４）を締めて利用する。
【実施例】
【０００６】  以下、発明の実施例について説明する。
（イ）ゴルフパターヘッド（１）の一部に凸レール（３）を設け、その一部に何ヶ所か雌ネジを設け、そのレールの上にバランス凹（２）を設ける。
（ロ）バランス凹（２）の一部に雄ネジ（４）を設ける。
【発明の効果】
【０００７】  本発明は以上のような構造で、これを使用するときは、雄ネジ（４）を緩め、バランス凹（２）を好みの位置にスライド移動させ、雄ネジ（４）を締めて使用する。その日の体調に合わせて使用することができる。仮に練習グリーンで、パターを打つ時、やたらとひっかけたり、押し出したりした時に、微妙に調整して使用すると、今現在の自分のストロークで楽しくプレー出来るものと信じる。
なお図３、図４のような方法でも本発明の目的は果たせる。
【図面の簡単な説明】
【図１】  本発明の斜視図である。
【図２】  本発明の断面図である。
【図３】  本発明の他の実施例を示す斜視図である。
【図４】  本発明の他の実施例を示す断面図である。
【符号の説明】
１  ゴルフパターヘッド    ２  バランス凹
３  凸レール              ４  雄ネジ
５  雌ネジ    ６  バランスつまみ
７  バネ    ８  蓋    ９  板
１０  ゴルフパターヘッド
【図１】
2005296582.tif 000003
【図２】
2005296582.tif 000004
【図３】
2005296582.tif 000005
【図４】
2005296582.tif 000006
(57)【要約】【課題】  貯金をすると同時に日付の部分が自動的に変更する貯金箱を提供する。【解決手段】  硬貨を投入すると同時に投入口に連結したばね、押込片、歯車、日付ドラムが動き、日付が自動で変更する貯金箱。【選択図】  図１
2005296560.tif 000002
【特許請求の範囲】
【請求項１】
箱本体と箱本体上部に設けられた投入口と、前面に設けられた拡大レンズ付の日付窓と、箱内部に貯金空間と機構収納部を隔てるように設けられた隔壁と、機構収納部内に軸着された日付ドラムと歯車を連結させ、投入口から投入されたコインにより動作し日付ドラムを一単位分動かす回転制御機構と、投入されたコインを貯金空間に導くガイド機構とより成る日付自動変更貯金箱。
【発明の詳細な説明】
【技術分野】
【０００１】  本発明は、お金を投入する事によりのみ日付の変更が可能な貯金箱である。
【背景技術】
【０００２】  従来は、お金を投入する貯金箱と、日付及びカレンダーと連結のない状態で、カレンダーの付いた貯金箱、及びお金を投入しても自分自身の手で日付を変更していた。
【発明の開示】
【発明が解決しようとする課題】
【０００３】  そのために次のような問題点があった。
お金を入れなくても日付が変更できたり、日付を動かすのが面倒になったりするので、日付の変更、及びカレンダーとの連結性の無い状態で使用されるようになっていた。
本発明は以上の問題点を解決しようとするものである。
【課題を解決するための手段】
【０００４】  箱本体を設け、箱本体上部に投入口、前面に拡大レンズ付の日付窓を設け、箱内部に貯金空間と機構収納部を隔てる隔壁、機構収納部に軸着された日付ドラム、歯車を連結させ、投入口から投入されたコインにより動作し、日付ドラムを一単位分動かす回転制御機構と投入されたコインを貯金空間に導くガイド機構とより成る日付変更貯金箱。
【発明の効果】
【０００５】  本発明は、お金を投入する事により自動的に日付が変更する。したがって日付変更、及びカレンダーを変更するという日常生活の動作と関連づけることで興味がわきお金が貯まる。
【発明を実施するための最良の形態】
【０００６】  以下、本発明の実施の形態を説明する。
（イ）図１に見るように、箱本体（１）を設け、上部面に投入口（２）、前面に日付窓（３）を設ける。
（ロ）図２は図１にある日付窓（３）の詳細であり、箱本体（１）の前面にレンズ受け部（４）を設け、その部分に拡大レンズ（５）を設け、中の文字を大きく見せるようにする。
（ハ）図３に見るように、箱本体（１）前面の一部、及び上面の一部を取り外した状態の詳細図であり、投入口（２）の下に突出片を有する押込片（６）、及び押込片の下にばね（９）を設け、押込片（６）が上下に作動できるように、押込片開口部（７）を設け、貯金空間（８）と機構収納部を隔てる横隔壁（１０）、下隔壁（１１）、後隔壁（１２）を設ける。
（ニ）図４は図３に機構収納部品を設けた部分を示し、箱本体（１）と横隔壁（１０）の間に支持棒（１５）を設け、歯車（１３）、及び日付ドラム（１４）を日付窓（３）に平行かつ同じ高さ、及び横同位置になるように設け、同一軸で軸着させる。またこの日付ドラム（１４）は表面に日付が表示されたものであり、３０分割あるいは３１分割にして、１〜３０、あるいは１〜３１というように日付が同じ幅となるように表示されている。また歯車（１３）はその表示の分割にあわせた数の歯からなっている。
（ホ）図５に見るように、箱本体（１）の前面を取り外した状態の詳細図であり、貯金空間（８）と機構収納部を隔てる横隔壁（１０）、下隔壁（１１）及び、後隔壁（１２）を設け、箱本体（１）と横隔壁（１０）の間に支持棒（１５）を設け、歯車（１３）と日付ドラム（１４）を同一軸の支持棒（１５）に平行かつ同じ高さ及び、横同位置に軸着させた状態となっている。
（ヘ）図６は機構収納部の動作を示し、（ａ）に示すように、投入口（２）にコイン（１６）を投入することにより、（ｂ）のように、ばね（９）が縮み、押込片開口部（７）内を押込片（６）が下がり、押込片（６）が歯車（１３）の歯に噛み合い、歯車（１３）が同軸着した日付ドラム（１４）の１回転分のみが廻るようになっている。また投入されたコイン（１６）は機構収納部内に絶対に入ることのないように、横隔壁（１０）、下隔壁（１１）、後隔壁（１２）にはばまれ、必ず貯金空間（８）に貯まるようになっている。
本発明は、以上の構成からなりたっていろ。
本発明を使用するときには、箱本体（１）の上面の部分に設けた投入口（２）にコイン（１６）を投入すると図６（ｂ）に示すように同時にばね（９）が縮む。また同時に押込片（６）が押込片開口部（７）内を下げる。その時、コイン（１６）が貯金空間（８）に必ず落ちるように貯金空間（８）に導くガイド機構〔横隔壁（１０）下隔壁（１１）後隔壁（１２）〕を機構収納部及び貯金空間（８）との間に取り付けられている。押込片（６）が下がることにより箱本体（１）と横隔壁（１０）の間に取り付けられた支持棒（１５）に軸着された歯車（１３）に噛み合い、同一軸着された日付ドラム（１４）の１回転分の動作分のみ歯車（１３）が廻る。それに連動して日付ドラム（１４）が１日分のみ廻り、日付が１日分のみ変更される。その変更された日付ドラム（１４）の日付部分を、日付窓（３）に取り付けた拡大レンズ（５）を通して、日付の文字を大きく見ることができる。図６（ｃ）に示すように、コイン（１６）が投入され、下げられた投入口（２）がばね（９）の動力により、元の位置に戻るようになっている。
【図面の簡単な説明】
【０００７】
【図１】本発明の斜視図
【図２】本発明の拡大レンズ構造図
【図３】本発明の前面、上部面の一部を取り外した構造図
【図４】本発明の機構収納部構造図
【図５】本発明の前面を取り外した構造図
【図６】本発明の部品動作図
【図７】本発明の部品動作図
【符号の説明】
【０００８】１    箱本体
２    投入口
３    日付窓
４    レンズ受け部
５    拡大レンズ
６    押込片
７    押込片開口部
８    貯金空間
９    ばね
１０  横隔壁
１１  下隔壁
１２  後隔壁
１３  歯車
１４  日付ドラム
１５  支持棒
１６  コイン
【図１】
2005296560.tif 000003
【図２】
2005296560.tif 000004
【図３】
2005296560.tif 000005
【図４】
2005296560.tif 000006
【図５】
2005296560.tif 000007
【図６】
2005296560.tif 000008
【図７】
2005296560.tif 000009
(57)【要約】      （修正有）【課題】  安全帯の命綱の垂れ下がりがない状態で軽快に歩行できる安全帯の命綱用仮止めと、作業員の所持する工具の墜落防止をも可能にする補助具を提供する。【解決手段】  安全帯の命綱の垂れ下がりが招く躓き転倒、機械に巻き込まれ防止に該命綱の未使用時には、二つ折りにして足元に垂れ下げられた該命綱の中途部を、フックロープを使って身体の前面腰部に仮止めし、作業員の所持する工具の落下防止に紐の端部を該安全帯に締結する際該フックロープに環状部を設けることで工具落下防止の紐を留めることが出来る機能を加えた。【選択図】  図４
2005296551.tif 000002
【特許請求の範囲】
【請求項１】
本発明は、安全帯の命綱の垂れ下がりが招く躓き転倒（図１，Ａ）、機械の巻き込まれ防止に命綱の垂れ下がり防止の、安全ベルトのロープ用仮止め補助具に関するもので、作業員の所持する工具の落下防止用の紐を該安全帯に締結する際の環状部（図５，Ｅ）を具備した本発明のフックロープ。
【発明の詳細な説明】
【発明の詳細な説明】
【技術分野】
【０００１】
【０００２】  本発明は、高所作業用の安全ベルトに関し、作業員の躓き転倒、重機の挟まれを防ぎ、尚且つ作業員の所持する軽微な工具の落下防止用の紐（図２，Ｃ）を締結することが可能な環状部（図５，Ｅ）を備えた安全帯の付属部品である。
【背景技術】
【０００３】
【０００４】  従来における、この種の安全ベルトのロープ用仮止め補助具は垂れ下がるロープを収納する一つの機能のみであった。
【発明が解決しようとする課題】
【０００５】
【０００６】  本発明は、上記した余分なロープの垂れ下がりがない状態で軽快に歩行できる安全ベルトのロープ用仮止め補助具を提供する事と、作業員の所持する工具に墜落防止に結わかれた紐を本発明のフックロープの環状部（図５，Ｅ）に締結する事で、工具の落下防止をも可能にすることを目的とする。
【課題を解決するための手段】
【０００７】
【０００８】  本発明は、上記従来の問題点を解決するために、安全ベルトのロープ用仮止め補助具に作業員の所持する工具の落下防止に締結する際の紐の端部（図２，Ｃ）を本発明のフックロープに環状部（図５，Ｅ）を設けることで、工具落下防止の紐（図２，Ｃ）を留めることが出来る機能を新たに加えた。
【発明の実施形態】
【０００９】
【００１０】  以下、図面に示す実施の形態について説明すると、（図３の▲１▼）は胴ベルトで、その端部にバックル（図３の▲２▼）を備えてあり安全ベルトの命綱としてロープ（図３の▲３▼）が使用され、ロープ（図３の▲３▼）とフック（図３の▲４▼）が連結されている。
【００１１】  またロープ（図３の▲３▼）はリング状の連結金具によって固定されたＤ環（図３の▲５▼）に編み込まれている。
【００１２】  さらにロープを中途部で仮止めするために、本発明のフックロープ（図３の▲６▼）を付設する。
【００１３】  このフックロープ（図３の▲６▼）を使用するときは、安全ベルト（図３の▲１▼）装着時にさつま編み込みされたＤ環（図３の▲５▼）と反対の位置にフックロープ（図３の▲６▼）を付設し、ロープ（図３の▲３▼）の未使用時には二つ折りにして足もとに垂れ下げられたロープ（図３の▲３▼）の中途部を、フックロープ（図５のＤ）を使って身体の前面腰部に仮止めする（図４参照）。
【発明の効果】
【００１４】
【００１５】  このフックロープ（図５）を使用するときは、身体の前面腰部に仮止めする（図４参照）。
【００１６】  また、作業員の所持する工具（図２，Ｂ）の落下防止用に紐の端部（図２，Ｃ）を該安全帯（図３，▲１▼）に締結する際、本発明のフックロープに環状部を具備したことで、落下防止の紐（図２，Ｃ）が安全帯上に付設された諸工具に絡まり取り出しづらくする弊害を作業者の好みに合わせて場所を取らずに付設が出来る。
【図面の簡単な説明】
【図１】転倒の場合
【図２】工具とヒモ
【図３】安全帯とフックロープ
【図４】使用例
【図５】拡大写真
【符号の説明】
Ａ  安全帯の命綱が招く躓き転倒
Ｂ  工具
Ｃ  落下防止用の紐
Ｄ  フックロープ本体
Ｅ  フックロープ環状部
１  安全ベルト
２  バックル
３  ロープ
４  ロープと対のフック
５  Ｄ環
６  本発明のフックロープ
【図１】
2005296551.tif 000003
【図２】
2005296551.tif 000004
【図３】
2005296551.tif 000005
【図４】
2005296551.tif 000006
【図５】
2005296551.tif 000007
(57)【要約】【課題】  調理中に措いて鍋の蓋は熱い状態や裏面に水滴、料理等が付き衛生的、安全、簡単に置く場所を作る事が困難な場合が多かった。このような状態を衛生的、安全、簡単に解決できる支持具を提供したい。【解決手段】  円錐型で中心部にかけ薄い皿形状で円の中心部にかけ切れ込まれた鍋の蓋の取っ手を挟むＶ型の溝をハの字に角度をつけた本発明支持具を台座や壁つけアームに取り付け鍋の蓋を引っくり返し  鍋の蓋の取っ手部分をＶ型の溝部分に挟む事で解決した。【選択図】  図６
2005296558.tif 000002
【特許請求の範囲】
【請求項１】
円錐形で中心部が薄い皿型で鍋の蓋の取ってを挟むＶ形の溝がハの字のに形成された鍋の蓋置き支持具。
【発明の詳細な説明】
【発明の詳細な説明】
【０００１】  本発明は、キッチンに措いて調理中の際、鍋の蓋を一時的に安全、衛生的に固定し置ける支持具である。
【技術分野】
【０００２】  本発明は、Ａ４７Ｊ４７／１６  Ａ４７Ｋ１０／３６に属する発明である。
【背景技術】
【０００３】  従来、キッチンに措いて調理中の鍋の蓋を衛生的、安全、簡単に置く事の出来る支持具が存在しなかった。
【発明が解決しようとする課題】
【０００４】  調理中に措いて鍋の蓋は熱い状態や裏面に水滴、料理等が付き衛生的、安全、簡単に置く場所を作る事が困難な場合が多かった。この様な状態を衛生的、安全、簡単に解決できる支持具を提供したい。
【課題を解決する手段】
【０００５】  課題を解決するため、薄い円錐形で中心部にかけ薄い皿形状にし皿の中心部にかけＶ型の切れ目を入れ切れ目にハの字角度をもたせた支持具に鍋の蓋を引っくり返し鍋の取っ手部分をＶ型のハの字溝部分に挟む事で解決した。尚、本発明を固定するものとして台座タイプは少し重めの台座に壁付けタイプはキッチンパネルもしくは壁に本発明に壁つけ等のアームを取り付け設置した。
【発明実施の形態】
【０００６】  鍋の蓋は、重量のある陶器製やステンレス等多々あるため台座の重量は重めにすることで安定を図った。又、支持具部分はアルミや、軽く丈夫な金属性で板状や針金のような棒状でも本発明の角度や形状があれば良い  又、本発明の円錐型の鍋の蓋を置く部分は中心部分にかけ厚みを薄くし浅い皿型にし鍋の蓋の取っ手をはめるＶ型の溝の耳をハの字に角度をつける事で鍋の蓋の取っ手を挟め蓋の安定を確保した。又、キッチンパネルや壁に取り付けるアームの先に本発明の支持具を取り付ける事で壁つけタイプにも成功し且つこのアームを可動式にすることで使用しないときに倒しキッチンのスペース確保に成功した。
【発明の効果】
本発明の効果で、調理中の鍋の蓋を衛生的、安全、簡単に固定できる支持具を提供する事に成功した。
【図面の簡単な説明】
【図１】  本発明の台座固定タイプ斜視図である。
【図２】  本発明の鍋の蓋置き円錐型部分の側面断面図である。
【図３】  本発明の鍋の蓋置き円錐型部分の正面断面図である。
【図４】  本発明の鍋の蓋置きの平面断面図である。
【図５】  本発明の壁固定型タイプの側面図である。
【図６】  本発明の壁固定型タイプの斜視図である。
【符号の説明】
１は鍋の蓋置きの円錐型支持具である。
２はアームである。
３はネジ釘である。
４は台座である。
【図１】
2005296558.tif 000003
【図２】
2005296558.tif 000004
【図３】
2005296558.tif 000005
【図４】
2005296558.tif 000006
【図５】
2005296558.tif 000007
【図６】
2005296558.tif 000008
(57)【要約】【課題】目の不自由な人は、高い所から落ちて、けがをすることがある。点字ブロックの上を歩いていても、先が見えないので不安が多い。【解決手段】アーチ形▲１▼を足案内として、アーチ形中央前面に障害物を探す杖▲４▼を付け、上部に中間の杖▲５▼、その上部にハンドル▲６▼を設けたことを特徴とする。【選択図】  図１
2005296556.tif 000002
【特許請求の範囲】
【請求項１】
アーチ形を足案内として、アーチ形の前面中央に障害物を探す杖を付け、アーチ形の中央上部に，中間の杖を付けた、目の不自由な人の杖。
【発明の詳細な説明】
【技術分野】
【０００１】この発明は，足案内を設けた目の不自由な人の杖に関するものである。
【背景技術】
【０００２】従来、目の不自由な人の杖には足案内は付いていなかった。
【発明の開示】
【発明が解決しようとする課題】
【０００３】目の不自由な人は、高い所から落ちて、けがをすることがある。
点字ブロックの上を歩いていても、先が見えないので不安が多い。
本発明は、これらの欠点を除くためになされたものである。
【課題を解決するための手段】
【０００４】（ア）目の見えない犬が、虫の触角のような物を頭に付けて走っていた。
（イ）大きなシャベルを左右に振ったら前進することができた。
アーチ形▲１▼を足案内として、アーチ形▲１▼中央前面に杖▲４▼を付け、上部に中間の杖▲５▼、その上にハンドル▲６▼、を設けた杖です。
本発明は、以上のような構成よりなる目の不自由な人の杖です。
【発明の効果】
【０００５】発明は、以上のような構造でこれを使用するときは、輪▲７▼に手をとうし、ハンドル▲６▼を片手で握り、地面を軽く押すように、前右、前左、前右、前左、と前進する、アーチ形▲１▼の下部右を、右足案内▲３▼、左を左足案内▲２▼として、▲２▼と▲３▼の内側に足を出す、アーチ形▲１▼の中央前面に障害物を探す杖▲４▼、付けた杖は駅のホームからの転落も減り、速く歩くことができる。
【発明を実施するための最良の形態】
【０００６】以下、本発明の実施の形態について説明する。
アーチ形▲１▼  の下部を右足案内▲３▼  左足案内▲２▼として  アーチ▲１▼の中央前面に障害物を探す杖▲４▼を付け  アーチ形▲１▼中央上部に中間の杖▲５▼を付け、その上部にハンドル▲６▼、と輪▲７▼、設けた。
本発明は、以上のような構成でこれを使用するときは、杖▲４▼で障害物をいち早く探し、右足案内▲３▼  左足案内▲２▼  ▲３▼▲２▼の内側に足を出せば事故は少なく、速く歩くことができる。
【図面の簡単な説明】
【０００７】
【図１】  本発明の斜視図である。
【図２】  本発明の側面図である。
【符号の説明】
【０００８】  ▲１▼アーチ形  ▲２▼左足案内  ▲３▼右足案内  ▲４▼杖  ▲５▼中間の杖  ▲６ハンドル  ▲７▼輪
【図１】
2005296556.tif 000003
【図２】
2005296556.tif 000004
(57)【要約】【課題】  紙おむつの着脱両翼部を長くすることにより、ウエストにおむつを固定できるため、装着しやすい。これにより要介護者が寝た状態あるいは立った状態での前後どちらかでも着脱が可能であり、また下着を脱がなくてもよい。【解決手段】  紙おむつ１の後ろ身頃６前身頃７の着脱両翼部２、２′、３、３′にウエスト全体を覆い重なる長さを設け、さらにウエストにフィットするように伸縮部４を設け、着脱両翼部２、２′、３、３′の重なる部分にファスニングテープ５ａ，５ｂを設ける。【選択図】      図１
2005296557.tif 000002
【特許請求の範囲】
【請求項１】
紙おむつの前後身頃の着脱翼部に伸縮部、ファスニングテープを設け、及びウエスト全体を覆い重なるように左右の着脱翼部を長く設けた紙おむつ及びおむつカバー。
【発明の詳細な説明】
【技術分野】
【０００１】本発明は、紙おむつの前後身頃の着脱両翼部に伸縮部、ファスニングテープを設け、また長くすることにより、着脱する際ウエスト部分が固定されるため、自分自身及び介護者にも着脱しやすくした紙おむつ及びおむつカバーに関するものである。
【背景技術】
【０００２】従来、紙おむつは、要介護者の介護の度合いにかかわらず寝た状態でないと着脱することができず又自分自ら着脱することも困難であった。又紙パンツは、着脱する際、スラックスなど下着を脱がないと着脱できない欠点があった。（例えば特許文献１及び実用新案文献１参照）
【特許文献１】特開平７−３２８０６９（図３）
【実公文献１】
実公第３０７３６９５号（図４）
【発明の開示】
【発明が解決しようとする課題】
【０００３】従来、次のような欠点があった。
紙おむつは、要介護者の介護の度合いにかかわらず寝た状態でなくては着脱することができず又要介護者自ら着脱することは困難であった。
又、紙パンツはスラックスなど下着を脱がないと着脱できない欠点があった。
本発明は、これらの欠点を解決するためになされたものである。
【課題を解決するための手段】
【０００４】紙おむつ１の後ろ身頃６の着脱両翼部２、２′にウエスト全体を覆い重なる長さを設け、さらにウエストにフィットするように伸縮部４を設ける。そして着脱両翼部２、２′の重なる部分にファスニングテープの雄面５ａを内面側に、雌面５ｂを外面側に設ける。また、前身頃７にも同様の着脱両翼部３、３′と伸縮部４、おむつの外面側に５ｂ，内面側に５ａのファスニングテープを設ける。
本発明は、以上のような構成からなる紙おむつ及びおむつカバーである。
【発明の効果】
【０００５】本発明は、着脱両翼部が長いので、ウエスト部分に固定できるため要介護者が寝た状態、あるいは立った状態、又は前方からでも、後方からでも着脱が可能である。またスラックスなどの下着を履いたままの状態での着脱も可能である。
【発明を実施するための最良の形態】
【０００６】本発明は、要介護者が立ったままの状態でも、スラックスを履いたままの状態でも着脱が可能であり介護しやすくしたもので、これを図面について説明すれば、紙おむつ１の後ろ身頃６に着脱翼部２、２′、前身頃７の着脱翼部３、３′、にウエスト全体を覆い重なる長さの着脱翼を設ける。又体にフィットするように伸縮部４を設け、着脱両翼部２、２′、３、３′の重なる部分にファスニングテープ雄面５ａと雌面５ｂを設ける。
【実施例１】
【０００７】本発明は、以上のような構造でこれを使用するときは、図３、４、５、６に示すように介護者が要介護者の後方から装着する場合について説明するならば、体のウエスト部分に前身頃７の着脱両翼部３、３′を巻き付け、重なる部分のファスニングテープ５ａ，５ｂで止め、ウエストにおむつを固定する。
次に股の間からもう一方の後ろ身頃６の着脱両翼部２，２′を引き出し、同じようにウエストに巻き付けファスニングテープ５ａ，５ｂで固定して使用する。
【実施例２】
【０００８】図８に示すように、ファスニングテープ５ａ，５ｂの配置により図９、１０に示すように、要介護者が寝た状態で使用する場合はウエストに固定した後は前身頃７の両翼部３３′をたたみ腹部に被せた状態でも使用可能である。
【実施例３】
【０００９】介護用の他に子供用にも使用可能である。
【図面の簡単な説明】
【図１】  本発明の内面側の平面図である。
【図２】  本発明の外面側の平面図である。
【図３】  本発明の使用方法を示した背面図である。
【図４】  本発明の使用方法を示した正面図である。
【図５】  本発明の使用方法を示した背面図である。
【図６】  本発明の使用方法を示した正面図である。
【図７】  本発明の実施例を示す斜視図である。
【図８】  本発明の実施例を示す平面図である。
【図９】  本発明の実施方法を示す正面図である。
【図１０】  本発明の実施方法を示す正面図である。
【符号の説明】
１    紙おむつ
２    後ろ身頃の着脱翼部
３    前身頃の着脱翼部
４    伸縮部
５ａ  ファスニングテープ  雄面
５ｂ  ファスニングテープ  雌面
６    後ろ身頃
７    前身頃
【図１】
2005296557.tif 000003
【図２】
2005296557.tif 000004
【図３】
2005296557.tif 000005
【図４】
2005296557.tif 000006
【図５】
2005296557.tif 000007
【図６】
2005296557.tif 000008
【図７】
2005296557.tif 000009
【図８】
2005296557.tif 000010
【図９】
2005296557.tif 000011
【図１０】
2005296557.tif 000012
(57)【要約】【課題】一般コウモリ傘は、夜間雨降り時に車を運転する側からは見えにくく、特に傘と同一色の黒系の服装は見えにくい。【解決手段】コウモリ傘に光るもの、発光ダイオード、電球系の物を取付け、光りで自分の存在を示すものである。【選択図】図１
2005296553.tif 000002
【特許請求の範囲】
【請求項１】
傘、先端部が発光ダイオードで点滅して光ることを特徴とする、交通安全光るコウモリ傘。
【請求項２】
傘先端部は発光ダイオードで、常点・点滅を発光し、手元握り部でスイッチの入り切りを行うことを特徴とする請求項１記載の交通安全コウモリ傘。
【発明の詳細な説明】
【技術分野】
【０００１】  この発明は、折り畳み傘、ワンタッチ傘、一般手開き傘の形状に関する。
【背景技術】
【０００２】  従来のコウモリ傘は、光りを出す設備はない。
【発明の開示】
【発明が解決しようとする課題】
【０００３】  しかしながら、以上の技術によれば、夜間、雨降り時に自分の位置を車、バイク、自転車等に光りの点滅により示すものであり、交通安全を課題とする。
【課題を解決するための手段】
【０００４】  以上の課題を解決するために、第一発明は、傘の先端が光ることを特徴とする交通安全光るコウモリ傘である。
また、第二発明は、傘下部の握りにスイッチがあり、片手で手動することが出来ることを特徴とする交通安全光るコウモリ傘である。
【発明の効果】
【０００５】  手動スイッチを握り部上部に付け、利き手の親指で操作がし易い。
【発明を実施するための最良の形態】
【０００６】  この発明の一実施形態を、図１に示す。
コウモリ傘全体は、ステンレス、グラスファイバー、カーボン、樹脂等何でも一体に設けられる。【０００７】「実施形態の効果」
この形態によれば、小さい傘には小さい電池で握り部が細く出来る。一般大、小傘に適用出来る。【０００８】「他の実施形態」
図１の実施形態では、電池で充電バッテリーのものでも良い。
【図面の簡単な説明】
【０００９】
【図１】本発明全体図
【図２】先端部拡大図
【図３】握り部拡大図
【符号の説明】
【００１０】  １  本体傘の金物
２  透明樹脂パイプ
３  発光ダイオード（常点・点滅）
４  本体傘の金物
５  傘部
６  配線（先端部へ）
７  握り部と傘のジョイント部
８  電源スイッチ
９  電池
【図１】
2005296553.tif 000003
【図２】
2005296553.tif 000004
【図３】
2005296553.tif 000005
(57)【要約】【課題】装着容易であるとともに、滑り止め効果も大なる靴の滑り止め用装着具を提供する。【解決手段】柔軟性を有する高摩擦材と吸水材との組み合わせによる主体を設け、主体適所に靴への保持手段を設けたことを特徴とする。【選択図】      図５
2005296568.tif 000002
【特許請求の範囲】
【請求項１】
柔軟性を有する高摩擦材と吸水材との組み合わせによる主体を設け、主体適所に靴への保持手段を設けたことを特徴とする靴の滑り止め用装着具。
【発明の詳細な説明】
【技術分野】
【０００１】  この発明は、靴を履いて歩行するときの路面に対する滑りを止めるために、靴に装着して使用する滑り止め用装着具に関する。
【背景技術】
【０００２】  従来より、冬季などに外を歩くとき、路面に対する靴下面の摩擦が少なく滑りやすい場合があり、その対策として種々の工夫がなされているが、本発明にて示すように吸水材および高摩擦材を併用した滑り止め用装着具は現在のところ見当たらない。
【発明の開示】
【発明が解決しようとする課題】
【０００３】  前記したように、冬季外出時の歩行は路面が滑りやすいため、靴に装着して使用する滑り止め用具がある。たとえば靴の先端寄りの位置に装着し、金属ピンを有するとともに下面に溝形状を設けたものがある。しかし金属ピンを用いたため、屋内床面とりわけ湿った床面は通常の靴より滑りやすいことがある。すなわち以下のような問題点を有している。
１．金属ピンを有するので、アイスバーンなど固い路面を歩くときはつま先部分に負担がかかって疲労が増大する。
２．床面を傷つけたり、タイルなど堅いところでは滑りやすい。
３．靴の前部にベルト固定するので、かかと部分が滑って不安定である。
４．寒冷時ではゴム素材が固くなり、ベルトを締める作業が煩わしい。
本発明は、以上のような従来からの滑り止め装着具に関わる課題を解決するために発明されたもので、装着容易であるとともにその滑り止め効果も大なる新規かつ有用なる靴の滑り止め装着具を提供することを目的としたものである。
【課題を解決するための手段】
【０００４】  課題を解決する手段として本発明は、靴底形状の主体に靴への保持手段を設けてその主要部を構成した。
すなわち、柔軟性を有する高摩擦材と吸水材との組み合わせによる主体を設け、主体適所に靴への保持手段を設ける。本発明は以上の構成よりなる靴の滑り止め用装着具である。
【発明の効果】
【０００５】  本発明は下記の効果を有する。
１．柔軟性素材による高摩擦材を用いたので、靴底全面が路面に接して歩きやすく、安定感がある。
２．吸水材を用いたので、濡れた氷の上を歩くとき、踏んだ圧力で主体内空気を押し出し、足を上げたときに吸水材が路面水分を積極的に吸収するので、路面に対する吸着作用を生じて滑りにくい。
３．ゴムベルトの引張による装着としたので、靴への着脱が容易である。
【発明を実施するための最良の形態】
【０００６】  以下、本発明の実施形態について説明する。
図において、１は主体で、靴底形状に近似の形状・サイズの発泡合成樹脂複層材である。
この主体の最下層は研磨剤を混入した高摩擦材としてのナイロン製の不織材２で、その上面に吸水材としてのセルローズスポンジ３、さらにその上にビニールシートによる防水シート４が積層固着されている。また図３および図４にて示すように、主体の一部に円形もしくは楕円形のセルローズスポンジ片がはめ込まれて露出片５が形成される。
６は前方舌片で、主体の前端上面に固着される発泡合成樹脂による湾曲舌片であり、主体上方に立ち上がっている。この前方舌片の上端にはゴムベルト７が添着され、該ベルト両端は主体中ほど上面に固着される。
８は後方舌片で、主体の後端上面に固着される発泡合成樹脂材による舌片であり、主体上方に立ち上がっている。この後方舌片の上端にはゴムベルト９が添着され、該ベルト両端は主体中ほど上面に固着される。１０は添材で、高摩擦係数の発泡合成樹脂による四角片であり、後方舌片のゴムベルト添着位置におけるベルト面に添着される。【０００７】  本発明を使用するには、前方舌片と後方舌片を外へ広げて主体上面に靴を乗せる。
すると各舌片にはゴムベルトが取り付けられているので、各舌片間に靴が狭持されて図５の状態となる。この状態にて路面を歩行すると、主体最下層の不織材が路面に接するが、この不織材には研磨剤が混入されており、かつ微細な繊維にて構成されているので路面に対する摩擦力が大となり、滑り止め効果を発揮することができる。
さらに、主体下面の一部には吸水材としてのセルローズスポンジが露出しており、このセルローズスポンジが路面の水分を吸収するため、さらに滑り止め効果が増大する。
とくに歩行時は主体に対する加圧時と非加圧時が発生するが、この加圧時に主体内空気や水分を押し出し、非加圧時はセルローズスポンジが路面水分を積極的に吸収して吸着効果が生じてより滑り止め効果が高まる。【０００８】  実施形態例では、露出片とセルローズスポンジが接しているので、露出片から吸い上げた水分をセルローズスポンジに行きわたらせることができる。また、不織材下面に単に露出片を取り付けて構成してもよい。露出片はかかと部分と先端近傍に位置し、圧力のかかる位置にあるので効果的に路面水分を吸収することができる。
なお、主体最上部には防水シートが位置しているので、靴底面を濡らすことはない。
また、図４にて示すように、後方舌片のゴムベルト取り付け位置には高摩擦係数を有する発泡合成樹脂による四角片が取り付けられ、靴に装着したときの後方舌片位置のずれを防止し、歩行による本装着具のずれを防止することができる。
以上のごとく、本発明により装着容易であるとともに、滑り止め効果も大なる靴の滑り止め装着具を得ることができる。
【図面の簡単な説明】
【０００９】
【図１】  本発明の平面図
【図２】  本発明の正面図
【図３】  本発明の底面図
【図４】  本発明の要部構造説明図（縦断面）
【図５】  本発明の装着状態図
【符号の説明】
【００１０】  １    主体
２    不織材
３    セルローズスポンジ
４    防水シート
５    露出片
６    前方舌片
７    ゴムベルト
８    後方舌片
９    ゴムベルト
１０  添材
【図１】
2005296568.tif 000003
【図２】
2005296568.tif 000004
【図３】
2005296568.tif 000005
【図４】
2005296568.tif 000006
【図５】
2005296568.tif 000007
(57)【要約】      （修正有）【課題】首（頚椎）後面側面部位の固定と背中（胸椎）部位のサポートを一体化させたサービカルサポーターを提供する。【解決手段】首（頚椎）後面側面を固定する頚椎サポート１の下端に背中（胸椎）をサポートする胸椎サポート２を設ける。胸椎サポート上端両端から固定ベルト３、４を設け、頚椎サポートから接続バンド５、６を設け、胸椎サポートの下端両端から固定ベルト７、８を設ける。【選択図】図２
2005296566.tif 000002
【特許請求の範囲】
【請求項１】
首（頚椎）後面測面を固定する（１）と背中（胸椎）をサポートする（２）。（２）上端両端から（２）を安定させる（３）（４）のベルト。首（頚椎）後面測面を固定する（１）の両端から（１）を安定させる（５）（６）のバンド、この（５）（６）のバンドは（３）（４）のベルトに結合（１）（２）を更に安定させる。（２）の下端両端から（７）（８）のベルトが（３）（４）のベルトとマジックバンドで接続される。上記の物で構成されたサービカルサポーター。
【発明の詳細な説明】
【発明の詳細な説明】
【技術分野】
【０００１】  この発明は、首（頚椎）後面側面部位の固定と背中（胸椎）部位のサポートを一体化させたサービカルサポーターに関するものである。
【背景技術】
【０００２】  従来、固定部位は首（頚椎）だけであった。
【発明が解決しようとする課題】
【０００３】  これは、次の様な欠点があった首（頚椎）を回りから囲んで固定しているため圧迫感があり、快適性に欠けている首の回りの丸いドーナツ型の丸いふくらみは人目を気にしながら、よほど症状が重症でなければ装着しづらい。
本来、首（頚椎）の固定は頚椎椎間板ヘルニアや頚部への外傷、車の追突事故によっての首の動きの制限や症状などの悪化予防・症状改善の目的で考えられた確かに首を固定する装具と言えばそれまで。しかし、生活するうえで圧迫感のない機会的かつ快適性を求める。
首は重い頭を支え、一方では背中や肩あるいは胸の筋肉、数多くの靱帯・関節に支えられ、協調しながら活動している。
首の回りの完全固定は身動きがしにくく、それより頚椎後面と側面の部分固定にして、首や背中を支えるサポーターとしての伸縮性の素材をいかし、首と背中を一体化させ、痛みからの開放と肩や背中の筋肉や関節の動きをスムーズにする  本発明は、以上の欠点をなくすためになされたものです。
【課題を解決するための手段】
【０００４】  首（頚椎）後面側面を固定する（１）を設け（１）の下端に背中（胸椎）をサポートする（２）を設ける（２）の胸椎サポート上端両端から（３）（４）のベルトを設け（１）から（５）（６）のバンドを設け胸椎サポート（２）の下端両端から（７）（８）のベルトを設ける。
本発明は、以上の構成よりなるサービカルサポーターである。
【発明を実施するための最良の形態】
【０００５】  首（頚椎）後面側面を固定する（１）を設け（１）の下端に背中（胸椎）をサポートする（２）を設ける（２）の胸椎サポート上端両端から（２）の胸椎部位を安定させる（３）（４）のベルトを設け（１）から（１）を安定させ（３）（４）につなぐ（５）（６）のバンドを設ける。
胸椎サポート（２）の下端両端から胸椎を安定させる（７）（８）のベルトを設ける（３）（４）は（７）（８）とマジックバンドで接続する事によって更にサポートが強化する本発明は、以上の様な構造で使用する事によって首と背中のサポートが一体化し、首と背中の動きが楽になり、首の圧迫感からの解放と人の目を気にせず気軽に着用出来る様になる。
【発明の効果】
【０００６】  首（頚椎）側面後面部位の部分固定と背中（胸椎）部位サポートを一体化させ伸縮性のサポートを使用するので、激しい痛みの時でも動かしやすい。又首の回りがドーナツ型の様に膨らんでいないので、人の目を気にせず気軽に着用出来る
【図面の簡単な説明】
【図１】  本発明の分解斜視図である。
【図２】  本発明の斜視図である。
【符号の説明】
１  頚椎サポート
２  胸椎サポート
３  固定ベルト（マジック）
４  固定ベルト（マジック）
５  接続バンド
６  接続バンド
７  固定ベルト（マジック）
８  固定ベルト（マジック）
【図１】
2005296566.tif 000003
【図２】
2005296566.tif 000004